(57)【要約】【課題】構造が簡単でコスト低減が図れる外壁パネルの目地構造、外壁面材および止水部材を提供する。【解決手段】外壁面材５１の側面部には、外壁面材５１の壁面と平行に止水板部５１ｆが突出している。この止水板部５１ｆは、屋外側に位置する鋼板５１ｂの左右端部を略９０度に折り曲げることにより、外壁面材５１の壁面と平行に形成される。各外壁面材５１の止水板部５１ｆには、この外壁面材５１の工場製作段階において、止水部材が装着される。例えば、各外壁面材５１の一方若しくは両方の側面部の止水板部５１ｆには、耐候性を有する止水部材１が装着される。【選択図】図３
2020060064.tif 000002
【特許請求の範囲】
【請求項１】
左右に隣り合う外壁面材の側面部から突出する止水板部同士が重なり合ってなる目地に、耐候性を有する止水部材が設けられることを特徴とする外壁パネルの目地構造。
【請求項２】
請求項１に記載の外壁パネルの目地構造において、上記止水部材は、上記の重なり合う止水板部の各々に設けられることを特徴とする外壁パネルの目地構造。
【請求項３】
請求項１または請求項２に記載の外壁パネルの目地構造において、上記止水部材は、上記止水板部の屋外面から屋内面に至る折り返し形状を有することを特徴とする外壁パネルの目地構造。
【請求項４】
請求項１〜請求項３のいずれか１項に記載の外壁パネルの目地構造において、上記折り返し形状を有する止水部材の折り返し部または折り返し部の近傍にフィン部が突出していることを特徴とする外壁パネルの目地構造。
【請求項５】
請求項１〜請求項３のいずれか１項に記載の外壁パネルの目地構造において、上記折り返し形状を有する止水部材の折り返し部から所定の範囲が互いに合わさってフィン部が形成されることを特徴とする外壁パネルの目地構造。
【請求項６】
側面部から突出する止水板部を有する外壁面材であって、上記止水板部の屋外面から屋内面に至る折り返し形状の耐候性を有する止水部材が設けられており、上記止水部材の折り返し部または折り返し部の近傍にフィン部が突出していることを特徴とする外壁面材。
【請求項７】
側面部から突出する止水板部を有する外壁面材であって、上記止水板部の屋外面から屋内面に至る折り返し形状の耐候性を有する止水部材が設けられており、上記止水部材の折り返し部から所定の範囲が互いに合わさってフィン部が形成されることを特徴とする外壁面材。
【請求項８】
一方側に差し込み部を有し他方側に折り返し部を有する折り返し形成の耐候性を有する止水部材であって、折り返し部または折り返し部の近傍にフィン部が突出していることを特徴とする止水部材。
【請求項９】
一方の面側に粘着面を有し、幅方向の略中央側で上記粘着面側を谷折りに折り曲げて用いることができる耐候性を有するテープ状の止水部材であって、他方の面側の上記折り曲げの箇所または折り曲げの箇所の近傍にフィン部が突出していることを特徴とするテープ状の止水部材。
【発明の詳細な説明】
【技術分野】
【０００１】
この発明は、建物の外壁を構成できる外壁パネルの目地構造、外壁面材および止水部材に関する。
【背景技術】
【０００２】
特許文献１の背景技術には、外壁パネルの表面を構成する鋼板の端部に折り曲げ片を設け、この折り曲げ片を目地部で隣り合う外壁パネルの折り曲げ片と重ね合わせ、この目地部にシーリング材を充填することで防水することが記載されている。さらに、この特許文献１は、無足場施工を実現するべく、外壁における左右に隣り合う外壁パネル間の縦目地を形成するパネル端面が、表裏の金属板とは別体の型材からなり、これら型材間に水密性確保のための二次部材が設けられた外壁構造を開示している。
【先行技術文献】
【特許文献】
【０００３】
【特許文献１】特開２０１６−０９４７９１号公報
【発明の概要】
【発明が解決しようとする課題】
【０００４】
しかしながら、上記特許文献１の外壁構造では、外壁パネルの端面が表裏の金属板とは別体の型材からなるため、外壁パネルの構造が複雑化し、外壁が割高になる欠点がある。
【０００５】
この発明は、上記の事情に鑑み、構造が簡単でコスト低減が図れる外壁パネルの目地構造、外壁面材および止水部材を提供することを課題とする。
【課題を解決するための手段】
【０００６】
この発明の外壁パネルの目地構造は、左右に隣り合う外壁面材の側面部から突出する止水板部同士が重なり合ってなる目地に、耐候性を有する止水部材が設けられることを特徴とする。
【０００７】
これにより、外壁面材の側面部から突出する止水板部を目地に利用する構造となり、別体の型材を用いる必要がないため、構造が簡単でコスト低減が図りやすい。また、例えば、複数の外壁面材を用いて地上で組まれる大判化外壁パネルに上記止水部材を設けておくことができる。このため、上記大判化外壁パネルをクレーンで吊り上げて建物躯体に取り付けた後に目地に耐候性を有する湿式のシール材を塗布する作業を不要にでき、無足場施工を実現することができる。
【０００８】
上記止水部材は、上記の重なり合う止水板部の各々に設けられていてもよい。これにより、上記目地における耐候性および止水性能の向上が図れる。
【０００９】
上記止水部材は、上記止水板部の屋外面から屋内面に至る折り返し形状を有していてもよい。これにより、上記目地における止水性能の向上が図れる。
【００１０】
上記折り返し形状を有する止水部材の折り返し部または折り返し部の近傍にフィン部が突出していてもよい。これにより、上記止水板部同士が重なり合ってなる目地の幅寸法に製造誤差や設置誤差等によるバラツキが生じても止水機能が低下する問題は生じ難い。例えば、このような誤差に起因して、上記止水部材の幅寸法が目地幅の寸法よりも長くなっても、上記のフィン部は上記目地幅に合わせて変形できるので、上記止水部材を支障なく上記目地内に収めることができる。
【００１１】
或いは、上記折り返し形状を有する止水部材の折り返し部から所定の範囲が互いに合わさってフィン部が形成されてもよい。これにより、上記止水板部同士が重なり合ってなる目地の幅寸法にバラツキが生じても、上記のフィン部は上記目地幅に合わせて変形できるので、上記止水部材を支障なく上記目地内に収めることができる。
【００１２】
また、この発明の外壁面材は、側面部から突出する止水板部を有する外壁面材であって、上記止水板部の屋外面から屋内面に至る折り返し形状の耐候性を有する止水部材が設けられており、上記止水部材の折り返し部または折り返し部の近傍にフィン部が突出していることを特徴とする。このような外壁面材は、当該外壁面材を製作する段階で、上記止水部材を有した構造となり、外壁面材による外壁設置の現場では、目地止水の作業負担が軽減される。また、上記止水板部同士が重なり合ってなる目地の幅寸法にバラツキが生じても、上記のフィン部は上記目地幅に合わせて変形できるので、上記止水部材を支障なく上記目地内に収めることができる。
【００１３】
また、この発明の外壁面材は、側面部から突出する止水板部を有する外壁面材であって、上記止水板部の屋外面から屋内面に至る折り返し形状の耐候性を有する止水部材が設けられており、上記止水部材の折り返し部から所定の範囲が互いに合わさってフィン部が形成されることを特徴とする。このような外壁面材は、当該外壁面材を製作する段階で、上記止水部材を有した構造となり、外壁面材による外壁設置の現場では、目地止水の作業負担が軽減される。また、上記止水板部同士が重なり合ってなる目地の幅寸法にバラツキが生じても、上記のフィン部は上記目地幅に合わせて変形できるので、上記止水部材を支障なく上記目地内に収めることができる。
【００１４】
また、この発明の止水部材は、一方側に差し込み部を有し他方側に折り返し部を有する折り返し形成の耐候性を有する止水部材であって、折り返し部または折り返し部の近傍にフィン部が突出していることを特徴とする。このような止水部材は、外壁面材の工場製作段階で当該外壁面材の止水板部に装着しておくことができる。なお、複数の外壁面材を上下に接合して大判化外壁パネルを製作する現場において、この大判化外壁パネルに上記止水部材を装着することもできる。
【００１５】
また、この発明の止水部材は、一方の面側に粘着面を有し、幅方向の略中央側で上記粘着面側を谷折りに折り曲げて用いることができる耐候性を有するテープ状の止水部材であって、他方の面側の上記折り曲げの箇所または折り曲げの箇所の近傍にフィン部が突出していることを特徴とする。このような止水部材は、各外壁面材の工場製作段階で当該外壁面材の止水板部に貼り付けておくことができる。なお、複数の外壁面材を上下に接合して大判化外壁パネルを製作する現場において、この大判化外壁パネルに上記止水部材を貼り付けることもできる。
【発明の効果】
【００１６】
本発明であれば、外壁パネルの目地の止水構造を簡単化してコスト低減が図れるという効果を奏する。
【図面の簡単な説明】
【００１７】
【図１】外壁面材の構造例を示した概略の斜視図である。
【図２】同図（Ａ）は図１の外壁面材における外壁面材の上部および下部を示した断面図であり、同図（Ｂ）は図１の上下に配置された外壁面材の嵌め込み箇所の断面図である。
【図３】この実施形態に係る外壁面材を複数枚用いて構成された大判化外壁パネル同士の組み付けを示した説明図である。
【図４】図３に示した一実施形態に係る止水部材の拡大断面図である。
【図５】同図（Ａ）は図３に示した止水部材の変形例を示した説明図であり、同図（Ｂ）は、同図（Ａ）の止水部材の目地内の曲がりを示した説明図である。
【図６】図３に示した止水部材の変形例を示した説明図である。
【図７】他の実施形態に係る外壁面材を複数枚用いて構成された大判化外壁パネル同士の組み付けを示した説明図である。
【図８】他の実施形態に係る外壁面材の止水板部および止水部材を示した概略の斜視図である。
【図９】他の実施形態に係る止水部材を示した概略の斜視図である。
【図１０】外壁面材の止水板部に図９の止水部材を貼り付けた状態を示した概略の斜視図である。
【発明を実施するための形態】
【００１８】
以下、この発明の実施の形態を添付図面に基づいて説明する。
図１に示すように、建物の外壁を構成できる大判化外壁パネル５は、例えば、複数の横長の外壁面材５１を上下に配置して下地材５２で相互に連結された構造を有する。図１に示す例では、上記下地材５２として、Ｃ形鋼からなる縦胴縁５２ａを複数本備えている。
【００１９】
上記外壁面材５１は、例えば、図２（Ａ）および図２（Ｂ）に示すように、断熱材５１ａを鋼板５１ｂ、５１ｃで挟み込んだ金属サンドイッチパネルである。２枚の外壁面材５１を上下に配置した場合、下段に位置する外壁面材５１の上端面に形成された横幅方向に長い２か所の凹部５１ｄに、上段に位置する外壁面材５１の下端面に形成された横幅方向に長い２か所の凸部５１ｅが嵌まり込むことにより、上下の外壁面材５１が互いに面外方向に位置ずれしないように組み合わされる。
【００２０】
また、屋外側に位置する凸部５１ｅの下側に位置する凹部分からねじ込まれたビス５１ｇによって、縦胴縁５２ａに各外壁面材５１が固定される。また、外壁面材５１の側面部には、外壁面材５１の壁面と平行に止水板部５１ｆが突出している。上下に位置する外壁面材５１においては、例えば、下側となる止水板部５１ｆの上端部分が屋内側に出るように曲げられており、この下側の止水板部５１ｆの上端部分と上側の止水板部５１ｆの下端部分とが重なることができる。
【００２１】
なお、図示しない地組架台を用いると、上記複数の外壁面材５１を上下に並べて下地材５２で連結した大判化外壁パネル５を、当該大判化外壁パネル５が取り付けられる建物の躯体の外壁取付箇所とは異なる場所で組み立てることができる。そして、この大判化外壁パネル５を、クレーン等で吊り上げ、建物の躯体の外壁取付箇所に取り付けて外壁を構成することができる。
【００２２】
また、上記止水板部５１ｆは、屋外側に位置する鋼板５１ｂの左右端部を略９０度折り曲げることで、外壁面材５１の壁面と平行とされる。また、各外壁面材５１の左右両側の止水板部５１ｆの形成位置については、屋外側の壁面からの距離を幾分違えてあり、左右の外壁面材５１の両止水板部５１ｆ同士が重なるときに、左右の外壁面材５１の外壁表面の出量に差異が生じ難いようにしている。
【００２３】
また、各外壁面材５１の止水板部５１ｆには、例えば、この外壁面材５１の工場出荷段階で以下に示す止水部材が装着される。そして、外壁面材５１が上下に並べられて大判化外壁パネル５が製作されるとき、上下の外壁面材５１，５１における止水板部５１ｆの重なり箇所では、上記止水部材も重なることになる。
【００２４】
この例では、図３に示すように、各外壁面材５１の一方の側面部の止水板部５１ｆには、ゴム等からなるガスケット状の耐候性を有する止水部材１が装着される。また、各外壁面材５１の他方の側面部の止水板部５１ｆには、特に耐候性を有しない発泡樹脂からなる止水部材２が装着される。ここで、上記の耐候性とは、太陽光からの光線の影響、雨水などによる分解や浸食、温度変化による材料の伸縮の影響などに起因した、変形、変色、劣化等が生じ難く、屋外の自然環境での使用に耐え得る性質があることをいう。
【００２５】
左右に隣り合う外壁面材５１，５１の互いに近接する止水板部５１ｆ、５１ｆ同士が重なり合うことで、縦方向の目地Ｊが形成される。また、止水板部５１ｆ、５１ｆ同士の重なり合いにおいては、耐候性を有する止水部材１が屋外側に位置される。そして、上記大判化外壁パネル５においては、クレーン等で吊り上げられ、建物の躯体の外壁取付箇所に取り付けたときに、隣の大判化外壁パネル５との間で、互いに近接する止水板部５１ｆ、５１ｆ同士が重なり合う。
【００２６】
なお、建物の躯体の外壁取付箇所に取り付けられた大判化外壁パネル５，５間の目地Ｊの裏側（屋内側）には、耐風板５３が設けられる。この耐風板５３は、外壁面材５１の屋内側の鋼板５１ｃに対面し、この鋼板５１ｃと耐風板５３との間に発泡樹脂テープ５３ａを介在させた状態で、ビス５３ｂによって鋼板５１ｃに固定されている。
【００２７】
上記止水部材２は、例えば、一方の面側に粘着面を有する発泡ウレタンテープからなる。この発泡ウレタンテープは、この発泡ウレタンテープの幅方向の中央側で折り曲げて止水板部５１ｆに接着される。
【００２８】
上記止水部材１は、例えば、図４に示すように、この止水部材１の長手方向（目地の延び方向）に直交する方向の一方側に差し込み部１１を有し他方側に折り返し部１２を有する折り返し形状をなしている。この止水部材１を、差し込み部１１側から止水板部５１ｆに差し込むことで、止水板部５１ｆの屋外面から屋内面に至るように装着できる。また、止水部材１は、上記のような折り返し形状を有する本体部１ａと、この本体部１ａの屋外側の面に位置する化粧膜部１ｂとを備える。本体部１ａは、例えば、エチレン・プロピレン・ジエンゴム（ＥＰＤＭ）からなり、化粧膜部１ｂは、例えば、色選択が可能な塩素化ポリエチレン樹脂（ＣＰＥ）からなる。本体部１ａと化粧膜部１ｂとを一体に押出形成することもできる。また、塩素化ポリエチレン樹脂（ＣＰＥ）単体で止水部材１を製作することも可能である。
【００２９】
また、止水部材１においては、折り返し部１２または折り返し部１２の近傍に、柔軟で変形可能なフィン部１３が突出している。この例では、上記フィン部１３は、折り返し部１２の屋外側の位置で当該止水部材１の幅方向に突出する。このフィン部１３も、本体部１ａと化粧膜部１ｂとからなっている。また、上記止水部材１においては、差し込み部１１の屋外側となる箇所にも、フィン部１４が、当該止水部材１の幅方向に突出している。このフィン部１３も、本体部１ａと化粧膜部１ｂとからなっている。
【００３０】
このように、上記の外壁パネルの目地構造では、左右に隣り合う外壁面材５１の側面部から突出する止水板部５１ｆ同士が重なり合ってなる目地Ｊに、耐候性を有する乾式の止水部材１が設けられる。
【００３１】
これにより、外壁面材５１の側面部から突出する止水板部を利用する構造となり、別体の型材を用いる必要がないため、構造が簡単でコスト低減が図れる。また、例えば、複数の外壁面材５１を用いて地上で組まれる大判化外壁パネル５に上記止水部材１を設けておくことができる。このため、上記大判化外壁パネル５をクレーンで吊り上げて建物躯体に取り付けた後に目地Ｊに耐候性を有する湿式のシール材を塗布する作業を不要にでき、無足場施工を実現することができる。
【００３２】
上記止水部材２に代えて、耐候性を有する止水部材１を装着してもよい。この場合は、上記止水部材１が上記の重なり合う止水板部５１ｆの各々に設けられた構造となり、上記目地Ｊにおける耐候性および止水性能の向上が図れる。
【００３３】
上記止水部材１が、上記止水板部５１ｆの屋外面から屋内面に至る折り返し形状を有していると、上記目地Ｊにおける止水性能の向上が図れる。
【００３４】
上記折り返し形状を有する止水部材１の折り返し部または折り返し部の近傍にフィン部１３が突出していると、上記止水板部５１ｆ同士が重なり合ってなる目地Ｊの幅の寸法に製造誤差や設置誤差等によるバラツキが生じても問題は生じ難い。例えば、このような誤差に起因して、上記止水部材１の幅寸法が目地Ｊの幅の寸法よりも長くなっても、或いは、元々、上記止水部材１の幅寸法を目地Ｊの幅の寸法よりも長くしておく場合でも、上記のフィン部１３は上記目地Ｊに合わせて変形できるので、上記止水部材１を問題なく上記目地内に装着することができる。なお、止水部材１の止水板部５１への装着前の自然状態においては、差し込み部１１の入り口側から折り返し部１２側にかけて同じ幅（隙間）としたが、このような幅（隙間）に替えて、折り返し部１２側から入り口側にかけて幅（隙間）が次第に大きくなる形状としてもよい。以下に示す上記止水部材１Ａ，１Ｂについても同様である。
【００３５】
上記実施形態の変形例として、図５（Ａ）には、同じく耐候性を有する止水部材１Ａを示している。この止水部材１Ａにおいては、止水部材１のフィン部１３よりも突出量が大きいフィン部１３Ａを有している。さらに、上記止水部材１Ａは、止水部材１のフィン部１４よりも突出量が大きいフィン部１４Ａを有している。また、上記フィン部１３Ａ、１４Ａは、屋外側ほど間隔が広がる斜め向きで屋外側に突出している。
【００３６】
また、上記止水部材１Ａの屋外側となる面および屋内側となる面の各々に、当該止水部材１の長手方向に延びる凸状部１５が形成されている。上記止水部材１Ａを用いると、図５（Ｂ）に示すように、目地Ｊ内において、フィン部１３Ａおよびフィン部１４Ａが、目地Ｊの側面部、すなわち、屋外側の鋼板５１ｂからなる外壁面材５１の小口面に密着し、この密着の面積を大きくすることできる。これにより、目地Ｊにおける止水性能の向上が図れる。
【００３７】
なお、上記止水部材１Ａでは、例えば、その屋内側に位置する屋内側部分を差し込み部１１の側から捲り、両面テープ４を、止水部材１Ａの屋外側に位置する屋外側部分の屋内面に貼り付けている。さらに述べると、両面テープ４を、その一方の剥離紙を剥がして露出させた粘着面によって、フィン部１４Ａの屋内側の端から差し込み部１１を経て、屋外側部分の屋内面の中程まで貼り付けている。そして、止水部材１Ａの屋内側部分を、差し込み部１１の箇所から捲ると同時に、上記両面テープ４の他方の剥離紙を剥がして粘着面を露出させ、止水部材１Ａを止水板部５１ｆに差し込んで両面テープ４で止水板部５１ｆに接着する。このため、この接着の作業と、止水部材１Ａの止水板部５１ｆ上での位置決め作業の同時実行が要求され、熟練が必要となる。
【００３８】
一方、図６に示す耐候性を有する止水部材１Ｂは、上記の止水部材１Ａに比べて、屋内側部分の長さが短くなっており、両面テープ４を、フィン部１４の屋内側の端から差し込み部１１を経て屋外部分の屋内面の中程まで貼り付けておくことができる。これにより、止水部材１Ｂを止水板部５１ｆに差し込んで位置決めした後、両面テープ４の他方の剥離紙を剥がして粘着面を露出させ、両面テープ４の他方の粘着面で止水板部５１ｆに接着することができる。
【００３９】
なお、このように止水部材１Ａ等に上記両面テープ４を貼り付けておいて、当該止水部材を流通させる形態のほか、止水板部５１ｆの側に両面テープを貼り付けておくこともできる。
【００４０】
図７に、他の実施形態に係る外壁パネルの目地構造を示す。なお、図中の同一または相当部分については同一の符号を付してその説明を省略する。以下の他の実施形態でも同様である。この実施形態の目地構造においては、耐候性を有する止水部材１Ｃが、屋外側に位置する止水板部５１ｆの屋外面に接着される。上記止水部材１Ｃは、本体部１００と、化粧膜部１０１と、横当て部１０２と、を備える。本体部１００は、例えば、エチレン・プロピレン・ジエンゴム（ＥＰＤＭ）からなり、止水板部５１ｆから外壁面材５１の屋外面近傍に至る厚さに形成されている。また、本体部１００は、断面が略矩形に形成されており、長手方向に延びる２か所の空洞部を有する。化粧膜部１０１は、例えば、色選択が可能な塩素化ポリエチレン樹脂（ＣＰＥ）からなり、本体部１００の屋外側の面に位置している。横当て部１０２は、例えば、発泡ＥＰＤＭからなり、隣の外壁面材５１の小口面に当たるように設けられる。上記止水板部５１ｆへの止水部材１Ｃの装着は、外壁面材５１の製作段階において行うことができる。
【００４１】
図８は、他の実施形態の外壁パネルの目地構造および外壁面材５１を示している。この外壁パネルの目地構造および外壁面材５１においては、耐候性を有する止水部材１Ｄが用いられている。この止水部材１Ｄは、一方の面側に粘着面を有する耐候性のテープ状止水部材からなり、このテープ状止水部材を、その幅方向の略中央側で上記粘着面側を谷折りに折り曲げて、止水板部５１ｆの屋外面から屋内面に至るように装着している。そして、この止水部材１Ｄにおいては、折り返し部１２から所定の範囲が互いに合わさって上記粘着面で接合されることでフィン部１ｄが形成されている。上記の所定の範囲としては、目地Ｊ内で止水できる長さであればよく、また、例えば、上記フィン部１３Ａ等と同様に、目地Ｊ内で曲がって目地Ｊの側面部に当接できる長さとすることができる。
【００４２】
上記フィン部１ｄの箇所には、止水板部５１ｆが存在しておらず、このフィン部１ｄは、目地Ｊ内において、隣の外壁面材５１の小口面に当たって曲がることができる。また、このような止水部材１Ｄは、各外壁面材５１の工場製作段階で当該外壁面材５１の止水板部５１ｆに貼り付けておくことができる。なお、複数の外壁面材５１を上下に接合して大判化外壁パネル５を製作する現場において、この大判化外壁パネル５に上記止水部材１Ｄを貼り付けることもできる。
【００４３】
上記止水部材１Ｄが設けられた外壁面材５１が上下に配置されて大判パネル５が製作されるとき、上下の外壁面材５１，５１における止水板部５１ｆの重なり箇所では止水部材１Ｄも重なる。この止水部材１Ｄは、テープ状止水部材からなり、ガスケット状の止水部材１、１Ａ、１Ｂに比べて薄くできるので、止水板部５１ｆの重なり箇所において、別途、テープ状の止水部材をさらに貼り重ねることも可能である。
【００４４】
図９および図１０は、他の実施形態に係る耐候性を有する止水部材１Ｅを示している。この止水部材１Ｅは、一方の面側に粘着面１ｅを有し、その幅方向の略中央側で上記粘着面１ｅ側を谷折りに折り曲げて用いることができる耐候性を有するテープ状の止水部材である。また、止水部材１Ｅの幅方向の略中央側の上記粘着面１ｅの側には、上記谷折りを容易にする凹部１ｆが形成されている。
【００４５】
さらに、止水部材１Ｅの他方の面側の上記折り曲げの箇所または折り曲げの箇所の近傍には、フィン部１ｇが、折り曲げの箇所に沿って突設されている。この例では、フィン部１ｇは、上記幅方向の中央位置からずれて形成されているが、中央位置に設けられていてもよい。また、フィン部１ｇは、１箇所に限らず、２箇所以上設けてもよい。
【００４６】
止水部材１Ｅを用いる場合、その幅方向の略中央側で上記粘着面側を谷折りに折り曲げて、止水板部５１ｆの屋外面から屋内面に至るように装着している。この止水部材１Ｅの装着により、外壁面材５１においては、止水部材１Ｅの折り返し部または折り返し部の近傍にフィン部１ｇが突出したものとなり、上記止水板部５１ｆ同士が重なり合ってなる目地Ｊの幅の寸法に製造誤差や設置誤差等によるバラツキが生じても問題は生じ難い。また、このような止水部材１Ｅは、各外壁面材５１の工場製作段階で当該外壁面材５１の止水板部５１ｆに貼り付けておくことができる。なお、複数の外壁面材５１を上下に配置して大判化外壁パネル５を製作する現場において、この大判化外壁パネル５に上記止水部材１Ｅを貼り付けることもできる。
【００４７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４８】
１        ：止水部材（耐候性有り）
１Ａ      ：止水部材（耐候性有り）
１Ｂ      ：止水部材（耐候性有り）
１Ｃ      ：止水部材（耐候性有り）
１Ｄ      ：止水部材（耐候性有り）
１Ｅ      ：止水部材（耐候性有り）
１ａ      ：本体部
１ｂ      ：化粧膜部
１ｄ      ：フィン部
１ｅ      ：粘着面
１ｆ      ：凹部
１ｇ      ：フィン部
２        ：止水部材（耐候性無し）
４        ：両面テープ
５        ：大判化外壁パネル（外壁パネル）
１１      ：差し込み部
１２      ：折り返し部
１３      ：フィン部
１３Ａ    ：フィン部
１４      ：フィン部
１４Ａ    ：フィン部
１５      ：凸状部
５１      ：外壁面材
５１ａ    ：断熱材
５１ｂ    ：鋼板（表）
５１ｃ    ：鋼板（裏）
５１ｄ    ：凹部
５１ｅ    ：凸部
５１ｆ    ：止水板部
５１ｇ    ：ビス
５２      ：下地材
５２ａ    ：縦胴縁
５３      ：耐風板
５３ａ    ：発泡樹脂テープ
５３ｂ    ：ビス
１００    ：本体部
１０１    ：化粧膜部
１０２    ：横当て部
Ｊ        ：目地
【図１】
2020060064.tif 000003
【図２】
2020060064.tif 000004
【図３】
2020060064.tif 000005
【図４】
2020060064.tif 000006
【図５】
2020060064.tif 000007
【図６】
2020060064.tif 000008
【図７】
2020060064.tif 000009
【図８】
2020060064.tif 000010
【図９】
2020060064.tif 000011
【図１０】
2020060064.tif 000012